(57)【要約】【課題】ゴルフショット練習時に於いて、ゴルフクラブのクラブヘッドがゴルフボールにヒットした後のあるべきスイング半径が、ターフの厚み分だけスイング半径が小さくならないように、クラブヘッドの逃げ代を持つゴルフショット練習用マットが必要である。【解決手段】マット傾斜可動部２ａが、クラブヘッドがゴルフボールにヒットした後、クラブヘッドの動きに倣って、ゴルフボールとの接地面より下方に傾斜可能なようにゴルフショット練習用マットを構成する。【選択図】     図１
2005278729.tif 000002
【特許請求の範囲】
【請求項１】
マット傾斜可動部がゴルフボールの打ち出し方向に、ゴルフクラブのクラブヘッドが描く外周軌道に倣って、ゴルフボールの接地面より下方に傾斜可能に構成されたゴルフショット練習用マット。
【請求項２】
前記マット傾斜可動部の下面の所定部位に、弛み防止補強板が取り付けられた、請求項１記載のゴルフショット練習用マット。
【請求項３】
前記マット傾斜可動部下面の前記弛み防止補強板の下部の適応する位置に、適応する数の、弾性体を設けることにより、前記マット傾斜可動部が復元するように構成された、請求項１又は請求項２に記載のゴルフショット練習用マット。
【請求項４】
前記マット傾斜可動部下面の前記弛み防止補強板の下部の適応する位置に、適応する数の、跳びはね防止金具が取り付けられた、請求項１から請求項３のいずれか一項に記載のゴルフショット練習用マット。
【請求項５】
マット土台にずれ止めを設け、且つ、前記マット土台に少なくとも２箇所以上の取り付け穴を設けた、請求項１から請求項４のいずれか一項に記載のゴルフショット練習用マット。
【発明の詳細な説明】
【技術分野】
【０００１】
アイアンクラブの正しいゴルフスイングを身に付けるための、アイアンショット練習時にゴルフボールを置くゴルフショット練習用マットに関する。
【背景技術】
【０００２】
実際のゴルフコースというのは、起伏等があって平らなところからゴルフボールを打つことは少ないので、これらに即した状態で練習したいとの思いから、従来の発明は、実際のゴルフコースに近い状態を作り出そうとして、ゴルファーの足の位置とボールの位置の組合せを変化させるものであり、ゴルフクラブがゴルフボールに当たるまでの条件を変化させるようにした練習装置であった。（例えば、特許文献１参照）
【０００３】
さらに、従来の発明品は設置面積が大きく設備が複雑なため、一般のゴルフ練習場には設置が難しい上、大仕掛けで高価となる練習装置であった。（例えば、特許文献１参照）
【０００４】
又、大仕掛けではないが同様に、ゴルフクラブがゴルフボールに当たるまでの条件を変化させるようにした練習装置があった。（例えば、特許文献２参照）
【特許文献１】特開平４−３２６７１号公報
【特許文献２】実開平４−７７９６５号公報
【発明の開示】
【発明が解決しようとする課題】
【０００５】
特許文献１の発明品は設置面積が大きく設備が複雑なため、一般のゴルフ練習場には設置が難しい上、大仕掛けで高価となるため、ほとんどのゴルフスイングの練習を目的とするゴルファーには利用不向きであった。
【０００６】
又、特許文献１及び特許文献２とも、正しいゴルフスイングそのものを身につける練習装置ではなかった。
【０００７】
この発明は、一般のゴルフ練習場に容易に設置でき、簡便な構造で、且つ、安価でほとんどのゴルファーが容易く利用でき、アイアンクラブがゴルフボールに当たった後の正確な正しいゴルフスイングの形成ができるアイアンクラブのゴルフショット練習用マットを提供するのが目的である。
【０００８】
実際のゴルフコースでのアイアンショットのゴルフスイングは、アイアンクラブのクラブヘッドがゴルフボールにヒットした後、更に芝生を取る、いわゆるターフを取るゴルフスイングになっており、即ち、ターフを取るということはアイアンクラブのクラブヘッドが、置かれたゴルフボールと芝生との接地面より下方を抜けていく状態となるが、ゴルフ練習場などでのゴルフスイングはゴルフショット練習用マットの厚みが一定であり、且つ、固定されていて、置かれたゴルフボールとゴルフショット練習用マットとの接地面より下方を抜けていく状態とならずクラブヘッドの逃げ代がないため、クラブヘッドでターフを取るゴルフスイングをすることが出来なかった。
【０００９】
このクラブヘッドの逃げ代がないゴルフショット練習用マットで練習した場合、アイアンクラブのクラブヘッドがゴルフボールにヒットした後のゴルフスイングのスイング半径は、正しいスイング半径と異なり、芝生上であればクラブヘッドが取り去るターフの厚み分だけスイング半径が小さくなり、体が不正確なゴルフスイングを覚えてしまうという問題が生じている。
【００１０】
クラブヘッドの逃げ代がないため、正確なゴルフスイングを行おうとしても、ゴルフクラブは、芝生上であればクラブヘッドが取り去るターフの厚みの分だけ押し戻されて、ゴルフクラブを握っている手首への負担が大きくなり、手首を痛める原因の一つになっている。手首への負担が少なくなるゴルフショット練習用マットが必要である。
【００１１】
ゴルフショット練習時に於いて、クラブヘッドがゴルフボールにヒットした後の、正しいスイング半径が、ターフの厚みの分だけ小さくならないように、クラブヘッドの逃げ代を持つゴルフショット練習用マットが必要である。
【課題を解決するための手段】
【００１２】
マット傾斜可動部が、ゴルフボールの打ち出し方向に、ゴルフクラブのクラブヘッドが描く外周軌道に倣って、ゴルフボールの接地面より下方に傾斜可能なように請求項１のゴルフショット練習用マットを構成する。
【００１３】
請求項１に記載のものであって、マット傾斜可動部の下面の所定部位に、弛み防止補強板を取り付けて請求項２のゴルフショット練習用マットを構成する。
【００１４】
請求項１又は請求項２に記載のものであって、マット傾斜可動部の下面の弛み防止補強板の下部の適応する位置に、適応する数の弾性体を設けることにより、マット傾斜可動部が復元するように請求項３のゴルフショット練習用マットを構成する。
【００１５】
請求項１から請求項３のいずれか一項に記載のものであって、マット傾斜可動部の下面の弛み防止補強板の下部の適応する位置に、適応する数の跳びはね防止金具を取り付けて、請求項４のゴルフショット練習用マットを構成する。
【００１６】
請求項１から請求項４のいずれか一項に記載のものであって、マット土台にずれ止めを設け、且つ、マット土台に少なくとも２箇所以上の取り付け穴を設けて請求項５のゴルフショット練習用マットを構成する。
【００１７】
ここでマットとは、人工芝本体のみならず、人工芝本体の下面にスポンジマット、ゴムマット、ポリウレタン樹脂マット等を単独で、或いは、組み合わせて接着させるベース加工を施したものの他、ウレタンゴム等のゴムマットや柔軟性を持たせたプラスチックのマットやシートを含む柔軟性を持つシート状のものである。
【００１８】
ここで弾性体とは、外力を加えることによって、撓むか、あるいは、縮むかし、外力を取り除くことにより、元に戻る能力を有するものであればよく、具体的には、コイルばね、板ばね、ねじりコイルばね等の金属ばね類の他、ゴムばねや空気ばね等の非金属ばねやスポンジ類等を単種類で、或いは、組み合わせて使用することが出来る。
非金属ばねには樹脂ばねも含む。    
【００１９】
ゴルフスイングやスイング半径のスイングとは英語のＳＷＩＮＧのことである。
【００２０】
クラブヘッドが描く外周軌道に倣ってとは、ゴルファーがゴルフクラブを握ってアドレスしたとき、ゴルファーのゴルフスイングを正面から見た時のゴルフクラブのクラブヘッドの外周軌道に対してのものである。
【００２１】
クラブヘッドがゴルフボールにヒットした後、マット傾斜可動部に当たり、マット傾斜可動部を下方に押し下げるのは、ダウンブローのゴルフスイングを行ったときである。
【発明の効果】
【００２２】
マット傾斜可動部がゴルフボールの打ち出し方向に、ゴルフクラブのクラブヘッドが描く外周軌道に倣って、ゴルフボールの接地面より下方に傾斜可能に構成されているため、クラブヘッドがゴルフボールにヒットした後、クラブヘッドはマット傾斜可動部に当たり、マット傾斜可動部を下方に押し下げて、クラブヘッドは振り抜けて行くことになり、このゴルフショット練習用マットはクラブヘッドの逃げ代を持つことになるので、ターフの厚み分だけスイング半径が小さくなることがなく、体は正しいゴルフスイングを覚えられる。
【００２３】
マット傾斜可動部が受ける力は、マット傾斜可動部自身が下方へ傾斜してクラブヘッドの逃げ代を持つため、傾斜しないマットに比べて小さくなる。このため、ゴルフクラブを握っている手首への負担も小さくなり、手首を痛める原因を減らすことが出来る。
【００２４】
ゴルフレッスンでアイアンショットはダウンブローに打てと説明を受けるが、一般のゴルファーは打放しのゴルフ練習場での練習がほとんどであり、打放しのゴルフ練習場の固定されたゴルフショット練習用マットではターフを取ることが出来ないので、ダウンブローに打つことは出来なかったが、打放しのゴルフ練習場に、ゴルフクラブのクラブヘッドが描く外周軌道に倣って、ゴルフボールの接地面より下方に傾斜可能に構成されたゴルフショット練習用マットを設置して練習を行えば、マット傾斜可動部が、ゴルフボールの接地面より下方に傾斜することが出来、クラブヘッドの逃げ代が出来るため、ターフを取るときと同様の練習が出来るので、ダウンブローに打つことが出来る。
【００２５】
マット傾斜可動部がゴルフクラブのクラブヘッドの描く外周軌道に倣って、下方へ傾斜することによって、本物の芝生の上で練習したときのターフを取るときと同様の練習が出来るのであるから、本物の芝生の練習場所に、ゴルフクラブのクラブヘッドが描く外周軌道に倣って、ゴルフボールの接地面より下方に傾斜可能に構成されたゴルフショット練習用マットを設置して練習を行えば、ゴルフボールを置く付近の本物の芝生自体が不要であり、今まで必要であった破損した本物の芝生を取り替えるときの取替費用が不要となる。
【００２６】
ゴルフショット練習用マットのマット傾斜可動部の下面の所定部位に、弛み防止補強板を設けたときは、弛み防止補強板はマット傾斜可動部自体の弛みを取ることが出来る。
【００２７】
マット傾斜可動部の下面の弛み防止補強板の下部の適応する位置に、適応する数の弾性体を設けたときは、弾性体はマット傾斜可動部を傾斜前の位置へ復元させることが出来る。
【００２８】
マット傾斜可動部の下面の弛み防止補強板の下部の適応する位置に、適応する数の跳びはね防止金具を設けたときは、マット傾斜可動部が復元する時に、跳びはね防止金具はマット傾斜可動部上面がマット水平部上面より上方に跳びはねないようにすることが出来る。
【００２９】
マット土台にずれ止めを設け、且つ、マット土台に少なくとも２箇所以上の取り付け穴を設けたときは、取り付け穴で基盤に固定金具を用いて固定出来るので、アイアンクラブのクラブヘッドがゴルフボールにヒットしたとき、ゴルフショット練習用マットはずれないし、クラブヘッドがゴルフボールにヒットせずにマット傾斜可動部あるいは、マット水平部を叩いたときも、ゴルフショット練習用マットはずれない。
【発明を実施するための最良の形態】
【００３０】
弾性体にコイルばねを使用する場合の最良の形態について説明する。
図１のマット傾斜可動部２ａとマット水平部２ｂのマットには、人工芝本体の下面にスポンジマットを、単独で一枚接着させるベース加工を施したもの使用している。
図１において、マット傾斜可動部２ａの下面の所定部位に、マット傾斜可動部２ａ自身の弛み防止に、弛み防止補強板３が接着され、更にその下部には、コイルばね４が適応する位置に取り付けてある。コイルばね４はマット傾斜可動部２ａが傾斜出来るように撓み代をもっている。
【００３１】
図１ではコイルばね４は２個であるが２個に限定されない、１個以上１２個以下であればよい。大人や子供、男性や女性、体格の違いや芝生の違いなどにより、実際にターフを取る時の力は色々と違う分けであるから、コイルばね４の個数や配置、仕様等の組合せを変えてクラブヘッドが受ける抵抗力を変化させることが出来、実際にターフを取る時の色々な抵抗力を再現することが出来る。
【００３２】
図１の状態から、ゴルフクラブのクラブヘッドがゴルフボールにヒットした後、マット傾斜可動部２ａがマット傾斜可動部２ａの左端から傾斜基点６あたりまで、クラブヘッドの描く外周軌道に倣って、ゴルフボールの打ち出し方向に、ゴルフボールとの接地面より下方に傾斜基点６を基準に図２のように傾斜する。    
【００３３】
マット傾斜可動部２ａとマット水平部２ｂの境界部にある傾斜基点６の上部のゴルフボールを置く位置９にゴルフボールを置いて使用する。  
【００３４】
ゴルフスイングは図１に於いてマット水平部２ｂ方向からマット傾斜可動部２ａ方向に向かって行われる。
【００３５】
マット水平部２ｂはマット土台１に接着等により固定されていて、マット土台１にはゴルフボールの打ち出し方向にずれないように、ずれ止め５が設けられてる。    
【００３６】
マット土台１は少なくとも２箇所以上の取り付け穴７で基盤に固定金具を用いて固定され、且つ、マット水平部２ｂの上面がゴルファーの靴裏と同じ高さとなる位置関係に設置される。
【００３７】
マット傾斜可動部２ａが下方に傾斜した後に、コイルばね４によってマット傾斜可動部２ａが復元する時に、マット傾斜可動部２ａ下面の弛み防止補強板３の下部の適応する位置に、マット傾斜可動部２ａ上面がマット水平部２ｂ上面より上方に跳びはねないように、跳びはね防止金具８を取り付けた。
【００３８】
跳びはね防止金具８は、ねじ部を持つ軸とねじ部に取り付けられたナットで構成するが、ナットを回してナットの位置を変えることにより、マット傾斜可動部２ａの復元位置を調整出来る。
【００３９】
跳びはね防止金具８は、２カ所取り付けてあるが２カ所に限定されない、１カ所以上６カ所までであれば良い。
【００４０】
マット傾斜可動部２ａが傾斜したときの傾斜前との傾斜角度は、ゴルファーやゴルフクラブによって変わってくるが、しかし、クラブヘッドの描く外周軌道に倣って、コイルばね４が撓む為、最大ターフ代が吸収出来るようにコイルばね４の撓み代を設定しておけば、変化に対応出来る。  
【００４１】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【００４２】
生じる摩耗が少なくなるということは発塵も少なくなるため、粉塵をより吸わなくなり傾斜しないマットに比べて、健康上受ける不利益を少なく出来る。  
【００４３】
弛み防止補強板３を設けたときは、クラブヘッドがマット傾斜可動部２ａを擦過するときのマット傾斜可動部２ａが受ける力を、コイルばね４にバランスよく伝える。
【００４４】
弛み防止補強板３を設けたときは、コイルばね４がマット傾斜可動部の下面に直接、接しないので、マット傾斜可動部２ａの下面にくい込んだりせず、マット傾斜可動部２ａの下面を傷つけない。
【００４５】
弛み防止補強板３を設けたときは、マット傾斜可動部２ａを面で支え、しかも、接着により一体とになるので、コイルばね４を用いてマット傾斜可動部２ａを復元させたときに、マット傾斜可動部２ａの上面が、弛み防止補強板３を設けないときに比べて、うねりが少ない一様な面になる。
【００４６】
マット土台１にずれ止め５を設け、且つ、マット土台１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台１を土の上に固定することが出来、ゴルフショット練習用マットはずれない。
【００４７】
他の異なる最良の形態１について説明する。
図３のマット傾斜可動部２ａとマット水平部２ｂのマットには、人工芝本体の下面にスポンジマットを、単独で一枚接着させるベース加工を施したもの使用している。
図３において、マット傾斜可動部２ａの下面に、板ばね１４を設ける。板ばね１４はマット傾斜可動部２ａが傾斜出来るように撓み代をもっている。
【００４８】
板ばね１４はＬ型形状に曲げられて，短辺側がボルト１０でマット土台１１のマット傾斜可動部２ａ側の側面に取り付けてあるが、側面に取り付けず、Ｌ型形状に曲げないでフラットのまま、マット土台１１の上面にボルトの頭が出ない皿ボルト等で取り付けても良い。
【００４９】
板ばね１４の幅はマット傾斜可動部２ａと同じ幅であるが、マット傾斜可動部２ａ自身が弛まない幅であれば、板ばね１４の幅はマット傾斜可動部２ａと同じ幅に限定されない。
【００５０】
図３の状態から、ゴルフクラブのクラブヘッドがゴルフボールにヒットした後、マット傾斜可動部２ａがマット傾斜可動部２ａの左端から傾斜基点６あたりまで、クラブヘッドの描く外周軌道に倣って、ゴルフボールの打ち出し方向に、ゴルフボールとの接地面より下方に傾斜基点６を基準に図４のように傾斜する。    
【００５１】
マット傾斜可動部２ａとマット水平部２ｂの境界部にある傾斜基点６の上部のゴルフボールを置く位置９にゴルフボールを置いて使用する。  
【００５２】
ゴルフスイングは図３に於いてマット水平部２ｂ方向からマット傾斜可動部２ａ方向に向かって行われる。
【００５３】
マット水平部２ｂはマット土台１１に接着等により固定されていて、マット土台１１にはゴルフボールの打ち出し方向にずれないように、ずれ止め５が設けられてる。
【００５４】
マット土台１１は少なくとも２箇所以上の取り付け穴７で基盤に固定金具を用いて固定され、且つ、マット水平部２ｂの上面がゴルファーの靴裏と同じ高さとなる位置関係に設置される。
【００５５】
マット傾斜可動部２ａが下方に傾斜した後に、板ばね１４によってマット傾斜可動部２ａが復元するときに、マット傾斜可動部２ａ上面がマット水平部２ｂ上面より上方に跳びはねないように、適応する位置に跳びはね防止金具１８を設けた。
【００５６】
跳びはね防止金具１８は、２カ所取り付けてあるが２カ所に限定されない、１カ所以上６カ所までであれば良い。
【００５７】
跳びはね防止金具１８はワイヤロープを用いて構成し、一方をマット土台１１に取付け、他方を板ばね１４に取り付ける。
【００５８】
跳びはね防止金具１８の構成はワイヤロープに限定されない、例えば、チェーンを用いても良いし、柔軟性のある樹脂を用いても構成することが出来る。
【００５９】
マット傾斜可動部２ａが傾斜したときの傾斜前との傾斜角度は、ゴルファーやゴルフクラブによって変わってくるが、しかし、クラブヘッドの描く外周軌道に倣って、板ばね１４が撓む為、最大ターフ代が吸収出来るように板ばね１４の撓み代を設定しておけば、変化に対応出来る。    
【００６０】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【００６１】
生じる摩耗が少なくなるということは発塵も少なくなるため、粉塵をより吸わなくなり傾斜しないマットに比べて、健康上受ける不利益を少なく出来る。  
【００６２】
マット土台１１は弾性体にコイルばねを使用する場合に比べて、コイルばねの挿入穴が不要となり、構造が簡単になる。
【００６３】
板ばね１４の幅がマット傾斜可動部２ａ自身が弛まない幅であれば、板ばね１４がマット傾斜可動部２ａの弛み防止も兼用出来るので、マット傾斜可動部２ａの弛み防止を別に設ける場合に比べて、構造が簡単になり、より安価に作れる。
【００６４】
板ばね１４の幅がマット傾斜可動部２ａ自身が弛まない幅であれば、マット傾斜可動部２ａを面で支えることになるので、板ばね１４を用いてマット傾斜可動部２ａを復元させたときに、マット傾斜可動部２ａの上面が、うねりが少ない一様な面になる。
【００６５】
大人や子供、男性や女性、体格の違いや芝生の違いなどにより、実際にターフを取る時の力は色々と違う分けであるから、板ばね１４の仕様を変えてクラブヘッドが受ける抵抗力を変化させることが出来、実際にターフを取る時の色々な抵抗力を再現することが出来る。
【００６６】
マット土台１１にずれ止め５を設け、且つ、マット土台１１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台１１を土の上に固定することが出来、ゴルフショット練習用マットはずれない。
【００６７】
他の異なる最良の形態２について説明する。
図５のマット傾斜可動部２ａとマット水平部２ｂのマットには、人工芝本体の下面にスポンジマットを、単独で一枚接着させるベース加工を施したもの使用している。
図５において、マット傾斜可動部２ａの下面の所定部位に、マット傾斜可動部２ａ自身の弛み防止に、弛み防止補強板２３を接着して、その下部に板ばね２４を設ける。板ばね２４はマット傾斜可動部２ａが傾斜出来るように撓み代をもっている。
【００６８】
板ばね２４はＬ型形状に曲げられて，短辺側がボルト２０でマット土台２１のマット傾斜可動部２ａ側の側面に取り付けてあるが、側面に取り付けず、フラットのまま曲げないで、マット土台２１の上面にボルトの頭が出ない皿ボルト等で取り付けても良い。
【００６９】
板ばね２４は２枚設けてあるが、２枚に限定されない、１枚以上１２枚まで設けることも出来る。大人や子供、男性や女性、体格の違いや芝生の違いなどにより、実際にターフを取る時の力は色々と違う分けであるから、板ばね２４の枚数や配置、仕様等の組合せを変えてクラブヘッドが受ける抵抗力を変化させることが出来、実際にターフを取る時の色々な抵抗力を再現することが出来る。
【００７０】
図５の状態から、ゴルフクラブのクラブヘッドがゴルフボールにヒットした後、マット傾斜可動部２ａがマット傾斜可動部２ａの左端から傾斜基点６あたりまで、クラブヘッドの描く外周軌道に倣って、ゴルフボールの打ち出し方向に、ゴルフボールとの接地面より下方に傾斜基点６を基準に図６のように傾斜する。    
【００７１】
マット傾斜可動部２ａとマット水平部２ｂの境界部にある傾斜基点６の上部のゴルフボールを置く位置９にゴルフボールを置いて使用する。  
【００７２】
ゴルフスイングは図５に於いてマット水平部２ｂ方向からマット傾斜可動部２ａ方向に向かって行われる。
【００７３】
マット水平部２ｂはマット土台２１に接着等により固定されていて、マット土台２１にはゴルフボールの打ち出し方向にずれないように、ずれ止め５が設けられてる。
【００７４】
マット土台２１は少なくとも２箇所以上の取り付け穴７で基盤に固定金具を用いて固定され、且つ、マット水平部２ｂの上面がゴルファーの靴裏と同じ高さとなる位置関係に設置される。
【００７５】
マット傾斜可動部２ａが下方に傾斜した後に、板ばね２４によってマット傾斜可動部２ａが復元する時に、マット傾斜可動部２ａ上面がマット水平部２ｂ上面より上方に跳びはねないように、適応する位置に跳びはね防止金具２８を設けた。
【００７６】
跳びはね防止金具２８は、２カ所取り付けてあるが２カ所に限定されない、１カ所以上６カ所までであれば良い。
【００７７】
跳びはね防止金具２８はワイヤロープを用いて構成し、一方をマット土台２１に取り付け、他方を弛み防止補強板２３に取り付ける。
【００７８】
跳びはね防止金具２８の構成はワイヤロープに限定されない、例えば、チェーンを用いても良いし、柔軟性のある樹脂を用いても構成することが出来る。
【００７９】
マット傾斜可動部２ａが傾斜したときの傾斜前との傾斜角度は、ゴルファーやゴルフクラブによって変わってくるが、しかし、クラブヘッドの描く外周軌道に倣って、板ばね２４が撓む為、最大ターフ代が吸収出来るように板ばね２４の撓み代を設定しておけば、変化に対応出来る。    
【００８０】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【００８１】
生じる摩耗が少なくなるということは発塵も少なくなるため、粉塵をより吸わなくなり傾斜しないマットに比べて、健康上受ける不利益を少なく出来る。  
【００８２】
マット土台２１は弾性体にコイルばねを使用する場合に比べて、コイルばねの挿入穴が不要となり、構造が簡単になる。
【００８３】
弛み防止補強板２３を設けたときは、マット傾斜可動部２ａを面で支えて、しかも、接着により一体になるので、板ばね２４を用いてマット傾斜可動部２ａを復元させたときに、マット傾斜可動部２ａの上面が、弛み防止補強板２３を設けないときに比べて、うねりが少ない一様な面になる。
【００８４】
マット土台２１にずれ止め５を設け、且つ、マット土台２１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台２１を土の上に固定することが出来、ゴルフショット練習用マットはずれない。
【００８５】
他の異なる最良の形態３について説明する。
図７のマット傾斜可動部２ａとマット水平部２ｂのマットには、人工芝本体の下面にスポンジマットを、単独で一枚接着させるベース加工を施したもの使用している。
図７において、マット傾斜可動部２ａの下面の所定部位に、マット傾斜可動部２ａ自身の弛み防止に、弛み防止補強板３３を接着して、更にその下部には、板ばね３４を設けてある。板ばね３４はマット傾斜可動部２ａが傾斜出来るように撓み代をもっている。
【００８６】
板ばね３４は両端をへの字型の形状に曲げられて，一方がボルト３０でマット土台３１の適応する位置に交互に向きあって取り付けてある。
【００８７】
板ばね３４は交互に向きあって取り付けるだけでなく、同じ向きに取り付けても良い。
【００８８】
板ばね３４は４枚設けてあるが、４枚に限定されない、向きあって取り付けるときは３枚、同じ向きに取り付けるときは２枚、あるいは単独で１枚でもよい。１枚以上１２枚まで設けることもできる。大人や子供、男性や女性、体格の違いや芝生の違いなどにより、実際にターフを取る時の力は色々と違う分けであるから、板ばね３４の枚数や配置、仕様等の組合せを変えてクラブヘッドが受ける抵抗力を変化させることが出来、実際にターフを取る時の色々な抵抗力を再現することが出来る。
【００８９】
図７の状態から、ゴルフクラブのクラブヘッドがゴルフボールにヒットした後、マット傾斜可動部２ａがマット傾斜可動部２ａの左端から傾斜基点６あたりまで、クラブヘッドの描く外周軌道に倣って、ゴルフボールの打ち出し方向に、ゴルフボールとの接地面より下方に傾斜基点６を基準に図８のように傾斜する。  
【００９０】
マット傾斜可動部２ａとマット水平部２ｂの境界部にある傾斜基点６の上部のゴルフボールを置く位置９にゴルフボールを置いて使用する。  
【００９１】
ゴルフスイングは図７に於いてマット水平部２ｂ方向からマット傾斜可動部２ａ方向に向かって行われる。
【００９２】
マット水平部２ｂはマット土台３１に接着等により固定されていて、マット土台３１にはゴルフボールの打ち出し方向にずれないように、ずれ止め５が設けられてる。
【００９３】
マット土台３１は少なくとも２箇所以上の取り付け穴７で基盤に固定金具を用いて固定され、且つ、マット水平部２ｂの上面がゴルファーの靴裏と同じ高さとなる位置関係に設置される。
【００９４】
マット傾斜可動部２ａが下方に傾斜した後に、板ばね３４によってマット傾斜可動部２ａが復元する時に、マット傾斜可動部２ａ下面の弛み防止補強板３３の下部の適応する位置に、マット傾斜可動部２ａ上面がマット水平部２ｂ上面より上方に跳びはねないように、跳びはね防止金具３８を設けた。
【００９５】
跳びはね防止金具３８は、２カ所取り付けてあるが２カ所に限定されない、１カ所以上６カ所までであれば良い。
【００９６】
跳びはね防止金具３８はワイヤロープを用いて構成し、一方をマット土台３１に取り付け、他方を弛み防止補強板３３に取り付ける。
【００９７】
跳びはね防止金具３８の構成はワイヤロープに限定されない、例えば、チェーンを用いても良いし、柔軟性のある樹脂を用いても構成することが出来る。
【００９８】
マット傾斜可動部２ａが傾斜したときの傾斜前との傾斜角度は、ゴルファーやゴルフクラブによって変わってくるが、しかし、クラブヘッドの描く外周軌道に倣って、板ばね３４が撓む為、最大ターフ代が吸収出来るように板ばね３４の撓み代を設定しておけば、変化に対応出来る。
【００９９】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【０１００】
生じる摩耗が少なくなるということは発塵も少なくなるため、粉塵をより吸わなくなり傾斜しないマットに比べて、健康上受ける不利益を少なく出来る。  
【０１０１】
マット土台３１は弾性体にコイルばねを使用する場合に比べて、コイルばねの挿入穴が不要となり、構造が簡単になる。
【０１０２】
弛み防止補強板３３を設けたときは、マット傾斜可動部２ａを面で支えて、しかも、接着により一体になるので、板ばね３４を用いてマット傾斜可動部２ａを復元させたときに、マット傾斜可動部２ａの上面が、弛み防止補強板３３を設けないときに比べて、うねりが少ない一様な面になる。
【０１０３】
マット土台３１にずれ止め５を設け、且つ、マット土台３１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台３１を土の上に固定することが出来、ゴルフショット練習用マットはずれない。
【０１０４】
他の異なる最良の形態４について説明する。
本形態は図７の最良の形態３とは以下に説明する異なる構成部分を除いて同様であるので、同様の構成部分については説明を省略する。
【０１０５】
図９において、マット傾斜可動部２ａの下面の所定部位に、マット傾斜可動部２ａ自身の弛み防止に、弛み防止補強板４３を設け、更に、跳びはね防止金具４８の一方を弛み防止補強板４３の下部の適応する位置に取り付け、他方をケーシング４２の中に取り付け、そのケーシング４２の一方をマット土台４１に取り付ける。
コイルばね４４はマット傾斜可動部２ａが傾斜出来るように撓み代をもっている。
【０１０６】
コイルばね４４、ケーシング４２、跳びはね防止金具４８は各１個で１組であり、図９では１組だけであるが１組だけに限定されない、１組以上１２組以下であれば良い。
大人や子供、男性や女性、体格の違いや芝生の違いなどにより、実際にターフを取る時の力は色々と違う分けであるから、その組数や配置、コイルばね４４の仕様等を変えてクラブヘッドが受ける抵抗力を変化させることが出来、実際にターフを取る時の色々な抵抗力を再現することが出来る。
【０１０７】
ゴルフクラブのクラブヘッドがゴルフボールにヒットした後、マット傾斜可動部２ａがマット傾斜可動部２ａの左端から傾斜基点６あたりまで、クラブヘッドの描く外周軌道に倣って、ゴルフボールの打ち出し方向に、ゴルフボールとの接地面より下方に傾斜基点６を基準に傾斜するとき、跳びはね防止金具４８がコイルばね４４を押し下げる。
【０１０８】
マット傾斜可動部２ａが下方に傾斜した後に、マット傾斜可動部２ａを復元させるのに、ケーシング４２の中に取付けたコイルばね４４を使用して復元させ、跳びはね防止金具４８を使用してマット傾斜可動部２ａ上面がマット水平部２ｂ上面より上方に跳びはねないようにする。
【０１０９】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【０１１０】
生じる摩耗が少なくなるということは発塵も少なくなるため、粉塵をより吸わなくなり傾斜しないマットに比べて、健康上受ける不利益を少なく出来る。  
【０１１１】
跳びはね防止金具４８の一方を弛み防止補強板４３の下部に取り付け、他方をケーシング４２の中に取り付け、そのケーシング４２の一方をマット土台４１に取り付けることにより、マット土台４１の下部の基盤に接する設置面を小さく出来る。
【０１１２】
弛み防止補強板４３を設けたときは、マット傾斜可動部２ａを面で支えて、しかも、接着により一体になるので、コイルばね４４を用いてマット傾斜可動部２ａを復元させたときに、マット傾斜可動部２ａの上面が、弛み防止補強板４３を設けないときに比べて、うねりが少ない一様な面になる。
【０１１３】
マット土台４１にずれ止め５を設け、且つ、マット土台４１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台４１を土の上に固定することが出来、ゴルフショット練習用マットはずれない。
【０１１４】
他の異なる最良の形態５について説明する。
本形態は図７の最良の形態３とは以下に説明する異なる構成部分を除いて同様であるので、同様の構成部分については説明を省略する。
【０１１５】
図１０において、マット傾斜可動部２ａの下面の所定部位に、マット傾斜可動部２ａ自身の弛み防止に、弛み防止補強板５３を接着し、その下部の適応する位置に板ばね５４の一方をボルト５０で取り付け、他方をマット土台５１にボルト５０で取り付ける。
板ばね５４はマット傾斜可動部２ａが傾斜出来るように撓み代をもっている。
【０１１６】
マット傾斜可動部２ａが下方に傾斜した後に、マット傾斜可動部２ａを復元させるのに、板ばね５４を使用して復元させ、更に、板ばね５４を使用してマット傾斜可動部２ａ上面がマット水平部２ｂ上面より上方に跳びはねないようにする。板ばね５４にマット傾斜可動部２ａを復元させる機能とマット傾斜可動部２ａの跳びはねを防止する機能を兼用させる。
【０１１７】
ゴルフクラブのクラブヘッドがゴルフボールにヒットした後、マット傾斜可動部２ａがマット傾斜可動部２ａの左端から傾斜基点６あたりまで、クラブヘッドの描く外周軌道に倣って、ゴルフボールの打ち出し方向に、ゴルフボールとの接地面より下方に傾斜基点６を基準に傾斜するとき、板ばね５４が撓む。
【０１１８】
板ばね５４は２枚設けてあるが、２枚に限定されない、１枚以上１２枚まで設けることもできる。大人や子供、男性や女性、体格の違いや芝生の違いなどにより、実際にターフを取る時の力は色々と違う分けであるから、板ばね５４の枚数や仕様等の組合せを変えてクラブヘッドが受ける抵抗力を変化させることが出来、実際にターフを取る時の色々な抵抗力を再現することが出来る
【０１１９】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【０１２０】
生じる摩耗が少なくなるということは発塵も少なくなるため、粉塵をより吸わなくなり傾斜しないマットに比べて、健康上受ける不利益を少なく出来る。  
【０１２１】
板ばね５４にマット傾斜可動部２ａを復元させる機能とマット傾斜可動部２ａの跳びはねを防止する機能を兼用させるので、構造が簡単になり、更に、マット土台５１のマット傾斜可動部２ａ側の側面に取り付けているため、マット土台５１の下部の基盤に接する設置面も小さく出来る。
【０１２２】
弛み防止補強板５３を設けたときは、マット傾斜可動部２ａを面で支えて、しかも、接着により一体になるので、板ばね５４を用いてマット傾斜可動部２ａを復元させたときに、マット傾斜可動部２ａの上面が、弛み防止補強板５３を設けないときに比べて、うねりが少ない一様な面になる。
【０１２３】
マット土台５１にずれ止め５を設け、且つ、マット土台５１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台５１を土の上に固定することが出来、ゴルフショット練習用マットはずれない。
【０１２４】
他の異なる最良の形態６について説明する。
本形態は図５の最良の形態２とは以下に説明する異なる構成部分を除いて同様であるので、同様の構成部分については説明を省略する。
【０１２５】
図１１に示すように、より安価にするため、跳びはね防止金具を設けず、構成部品点数を減らして構造を簡単にし、ゴルフショット練習用マットを構成した。
【０１２６】
図１１において、マット傾斜可動部２ａの下面の所定部位に、マット傾斜可動部２ａ自身の弛み防止に、弛み防止補強板６３を接着し、その下部の適応する位置に板ばね２４を設け、板ばね２４はボルト２０でマット土台６１のマット傾斜可動部２ａ側の側面に取り付けてある。板ばね２４はマット傾斜可動部２ａが傾斜出来るように撓み代をもっている。
【０１２７】
弛み防止補強板６３の材質には金属を用いるが、金属に限定されない。マット傾斜可動部２ａの弛みが取れればよく、機械的強度に優れたモノマーキャストナイロンやポリアセタール等の樹脂プレートも使用出来る。
【０１２８】
ゴルフスイング時のクラブヘッドからマット傾斜可動部２ａが受ける力は、マット傾斜可動部２ａ自身が下方へ傾斜するため、傾斜しないマットに比べて小さくなり、クラブヘッドがマット傾斜可動部２ａを擦過することにより生じる摩耗も少なくなり、傾斜しないマットに比べて、マット傾斜可動部２ａの寿命が延び、経済的にも有効である。
【０１２９】
生じる摩耗が少なくなるということは発塵も少なくなるため、粉塵をより吸わなくなり傾斜しないマットに比べて、健康上受ける不利益を少なく出来る。  
【０１３０】
弛み防止補強板６３を設けたときは、マット傾斜可動部２ａを面で支えて、しかも、接着により一体になるので、板ばね２４を用いてマット傾斜可動部２ａを復元させたときに、マット傾斜可動部２ａの上面が、弛み防止補強板６３を設けないときに比べて、うねりが少ない一様な面になる。
【０１３１】
マット土台６１にずれ止め５を設け、且つ、マット土台６１に少なくとも２箇所以上の取り付け穴７を設けたときは、ゴルフショット練習用マットを持ち運んで土の上で使用する場合、地中にずれ止め５が入る溝部を形成し、固定金具を地中に直接打ち込んで定着させたとき、ずれ止め５をその溝に入れ、取り付け穴７を使用して固定金具でマット土台６１を土の上に固定することが出来、ゴルフショット練習用マットはずれない。
【０１３２】
他の異なる最良の形態７について説明する。
本形態は図５の最良の形態２とは以下に説明する異なる構成部分を除いて同様であるので、同様の構成部分については説明を省略する。なお、効果についても図５の最良の形態２と同様の効果がある。
【０１３３】
図１２に示すように、マット傾斜可動部２ａが下方に傾斜した後にマット傾斜可動部２ａを復元させるのに、弛み防止補強板７３の一端を傾斜基点６あたりまで延ばして、蝶番７２の一方を弛み防止補強板７３の適応する位置へ取り付け、他方をマット土台７１の適応する位置へ取り付け、蝶番７２が持つ軸にねじりコイルばね７４を取り付けて、そのねじりコイルばね７４で復元させても良い。
【０１３４】
蝶番７２、ねじりコイルばね７４はそれぞれ１個以上６個以下であれば良い。
【０１３５】
他の異なる最良の形態８について説明する。
本形態は図１１の最良の形態６とは以下に説明する異なる構成部分を除いて同様であるので、同様の構成部分については説明を省略する。なお、効果についても図１１の最良の形態６と同様の効果がある。
【０１３６】
図１３に示すように、マット傾斜可動部２ａが下方に傾斜した後にマット傾斜可動部２ａを復元させるのに、弛み防止補強板８３の一端を傾斜基点６あたりまで延ばして、蝶番８２の一方を弛み防止補強板８３の適応する位置へ取り付け、他方をマット土台８１の適応する位置へ取り付け、蝶番８２が持つ軸にねじりコイルばね８４を取り付けて、そのねじりコイルばね８４で復元させても良い。
【０１３７】
蝶番８２、ねじりコイルばね８４はそれぞれ１個以上６個以下であれば良い。
【０１３８】
他の異なる最良の形態９について説明する。
本形態は図１２の最良の形態７とは以下に説明する異なる構成部分を除いて同様であるので、同様の構成部分については説明を省略する。なお、効果についても図１２の最良の形態７と同様の効果がある。
【０１３９】
図１４に示すように、マット傾斜可動部２ａが下方に傾斜した後にマット傾斜可動部２ａを復元させるのに、弛み防止補強板９３の一端を傾斜基点６あたりまで延ばして、ねじりコイルばね９４の一方を弛み防止補強板９３の適応する位置へ取り付け、他方をマット土台９１の適応する位置へ取り付けて、ねじりコイルばね９４で復元させても良い。
【０１４０】
ねじりコイルばね９４は１個以上６個以下であれば良い。
【０１４１】
他の異なる最良の形態１０について説明する。
本形態は図１３の最良の形態８とは以下に説明する異なる構成部分を除いて同様であるので、同様の構成部分については説明を省略する。なお、効果についても図１３の最良の形態８と同様の効果がある。
【０１４２】
図１５に示すように、マット傾斜可動部２ａが下方に傾斜した後にマット傾斜可動部２ａを復元させるのに、弛み防止補強板１０３の一端を傾斜基点６あたりまで延ばして、ねじりコイルばね１０４の一方を弛み防止補強板１０３の適応する位置へ取り付け、他方をマット土台１０１の適応する位置へ取り付けて、ねじりコイルばね１０４で復元させても良い。
【０１４３】
ねじりコイルばね１０４は１個以上６個以下であれば良い。
【０１４４】
他の異なる最良の形態１１について説明する。
図には示していないが、本形態は図１１の最良の形態６とは以下に説明する異なる構成部分を除いて同様であるので、同様の構成部分については説明を省略する。なお、効果についても異なる効果を除いて図１１の最良の形態６と同様の効果がある。
【０１４５】
マット傾斜可動部２ａとマット水平部２ｂに、人工芝本体の下面にゴムマットを接着させるベース加工を施したものを使用した場合、マット傾斜可動部２ａの下面の所定部位に、マット傾斜可動部２ａ自身の弛み防止に、弛み防止補強板６３を接着し、Ｌ型に曲げた板ばね２４の代わりに、フラットな板ばねを人工芝本体の下面とゴムマットの間に挟み込んで接着させておき、このようにして、マット水平部２ｂをマット土台６１に接着する。
フラットな板ばねはマット傾斜可動部２ａが傾斜出来るように撓み代をもっている。
【０１４６】
ゴムマットを組み合わせて接着させるベース加工を行った場合、ゴムマットとゴムマットの間にフラットな板ばねを挟み込んで接着させておいても良い。
【０１４７】
板ばねが外気に触れないため、板ばねの材質に錆にくいステンレスなどを使わないで済むし、又、錆止めのメッキも安価なもので済み、マット土台６１への取り付けもボルトも不要となる。
板ばねのコストを下げて、マット土台６１への取り付け工数も減らすことが出来る。
【０１４８】
最良の形態について、共通の効果について説明する。
図には示していないが、マット土台１、１１，２１，３１，４１，５１、６１、７１、８１、９１、１０１は取り付け穴７で基盤に固定金具を用いて固定することも出来るが、固定金具を使わずに、マット土台１、１１，２１，３１，４１，５１、６１、７１、８１、９１、１０１の周りをモルタルや接着剤等を用いて基盤に固定する事も出来る。
【図面の簡単な説明】
【０１４９】
【図１】本発明で弾性体にコイルばねを使用した最良の形態の断面図である。
【図２】本発明で弾性体にコイルばねを使用した最良の形態の作動時の断面図で                ある。
【図３】本発明で他の異なる最良の形態１の断面図である。
【図４】本発明で他の異なる最良の形態１の作動時の断面図である。
【図５】本発明で他の異なる最良の形態２の断面図である。
【図６】本発明で他の異なる最良の形態２の作動時の断面図である。
【図７】本発明で他の異なる最良の形態３の断面図である。
【図８】本発明で他の異なる最良の形態３の作動時の断面図である。
【図９】本発明の他の異なる最良の形態４の断面図である。
【図１０】本発明の他の異なる最良の形態５の断面図である。
【図１１】本発明の他の異なる最良の形態６の断面図である。
【図１２】本発明の他の異なる最良の形態７の断面図である。
【図１３】本発明の他の異なる最良の形態８の断面図である。
【図１４】本発明の他の異なる最良の形態９の断面図である。
【図１５】本発明の他の異なる最良の形態１０の断面図である。
【符号の説明】
【０１５０】
１      マット土台
２ａ    マット傾斜可動部
２ｂ    マット水平部
３      弛み防止補強板
４      コイルばね  
５      ずれ止め
６      傾斜基点
７      取り付け穴
８      跳びはね防止金具
９      ゴルフボールを置く位置        
１０    ボルト
１１    マット土台
１４    板ばね          
１８    跳びはね防止金具
２０    ボルト
２１    マット土台
２３    弛み防止補強板
２４    板ばね
２８    跳びはね防止金具
３０    ボルト
３１    マット土台
３３    弛み防止補強板
３４    板ばね          
３８    跳びはね防止金具
４１    マット土台
４２    ケーシング
４３    弛み防止補強板
４４    コイルばね
４８    跳びはね防止金具
５０    ボルト
５１    マット土台
５３    弛み防止補強板
５４    板ばね
６１    マット土台
６３    弛み防止補強板
７１    マット土台
７２    蝶番  
７３    弛み防止補強板
７４    ねじりコイルばね
８１    マット土台
８２    蝶番
８３    弛み防止補強板
８４    ねじりコイルばね
９１    マット土台
９３    弛み防止補強板
９４    ねじりコイルばね
１０１    マット土台
１０３    弛み防止補強板
１０４    ねじりコイルばね
【図１】
2005278729.tif 000003
【図２】
2005278729.tif 000004
【図３】
2005278729.tif 000005
【図４】
2005278729.tif 000006
【図５】
2005278729.tif 000007
【図６】
2005278729.tif 000008
【図７】
2005278729.tif 000009
【図８】
2005278729.tif 000010
【図９】
2005278729.tif 000011
【図１０】
2005278729.tif 000012
【図１１】
2005278729.tif 000013
【図１２】
2005278729.tif 000014
【図１３】
2005278729.tif 000015
【図１４】
2005278729.tif 000016
【図１５】
2005278729.tif 000017